(57)【特許請求の範囲】
【請求項１】
ディジタルサービスソース装置を供給源として供給される少なくとも１つのディジタルサービスに対応するデータの少なくとも一部を再生するデータ再生装置であって、
前記ディジタルサービスの第１パートを形成する第１のデータを受信する第１の受信手段と、
前記第１の受信されたデータを処理する第１の処理手段と、
前記第１の処理されたデータの出力を再生する第１の再生手段と、
前記第１の受信されたデータの処理および／または再生にかかる時間によって前記第１の再生されたデータの出力に生じた遅延である第１の遅延を前記ディジタルサービスソース装置に通知する通信手段と、
前記ディジタルサービスの第２パートを形成する第２のデータを受信する第２の受信手段と、
前記第２の受信されたデータを処理する第２の処理手段と、
前記第２の処理されたデータの出力を再生する第２の再生手段と
を備え、
前記通信手段が、さらに、前記第２の受信されたデータの処理および／または再生にかかる時間によって前記第２の再生されたデータの出力に生じた遅延である第２の遅延を前記ディジタルサービスソース装置に通知し、
前記ディジタルサービスの第１パートを形成するデータはビデオデータであり、前記ディジタルサービスの第２パートを形成するデータはオーディオデータである、データ再生装置。
【請求項２】
前記第１の遅延の少なくとも１つの既定の値と、前記第２の遅延の少なくとも１つの既定の値とを記憶する記憶部を更に備えた、請求項１に記載のデータ再生装置。
【請求項３】
前記記憶部がＥＤＩＤを用いて前記第１の遅延と前記第２の遅延を記憶する、請求項２に記載のデータ再生装置。
【請求項４】
ディジタルサービスソース装置であって、
前記ディジタルサービスの第１パートを形成するデータである第１のデータを出力する第１の出力手段と、
前記ディジタルサービスの第２パートを形成するデータである第２のデータを出力する第２の出力手段と
を備え、
少なくとも前記第１のデータを再生する再生装置から前記第１のデータに関する第１の遅延量インジケータを受信する受信手段と、
受信された前記第１の遅延量インジケータにしたがって前記ディジタルサービスの前記第２パートを形成する前記出力されたデータにプログラマブル遅延量を印加する遅延量印加手段と
をさらに備えており、
前記受信手段が、さらに前記再生装置から前記第２のデータに関する第２の遅延量インジケータを受信し、前記遅延量印加手段が、受信された前記第１の遅延量インジケータおよび前記第２の遅延量インジケータにしたがって、前記ディジタルサービスの前記第２パートを形成する前記出力されたデータにプログラマブル遅延量を印加するように構成されており、
前記ディジタルサービスの第１パートを形成するデータはビデオデータであり、前記ディジタルサービスの第２パートを形成するデータはオーディオデータである、ディジタルサービスソース装置。
【請求項５】
前記遅延量印加手段が、受信された前記第１の遅延量インジケータと前記第２の遅延量インジケータとの差に等しいプログラマブル遅延量を前記ディジタルサービスの前記第２パートを形成する前記出力されたデータに印加するように構成されている、請求項４に記載のディジタルサービスソース装置。
【発明の詳細な説明】
【技術分野】
【０００１】
１．発明の属する技術分野
本発明は、ディジタルサービスの各パートを同期させる装置および方法に関する。例えば本発明は、オーディオビジュアルディジタルサービスのオーディオ／ビジュアル同期に関連する。
【０００２】
２．従来技術の説明
多年にわたってスクリーン関連技術はＣＲＴスクリーンを基礎としてきた。これは純粋にアナログの技術である。１９９０年代から、画像システムにおいて、カメラで画像信号を記録し、これを例えば動き補償を用いた１００Ｈｚのスクリーンで表示するなど、ディジタル技術が広汎に用いられるようになった。最初、これらの新技術においてビデオ画像に有意な遅延量を導入したものはなかった。オーディオ／ビジュアル同期（以下ではＡ／Ｖ同期と略す）は、デコーダから供給されたオーディオストリームおよびビデオストリームがオーディオビジュアル再生装置で即時に再生されるものとの仮定に基づいてデコーダによって行われていた。デコーダでは、Ａ／Ｖ同期の原理は、ＭＰＥＧエンコーダに包含されている"プログラムクロックリファレンス"および"プレゼンテーションタイムスタンプ"などのパケット内のタイムマーカを用いて、共通の時間参照子に対してビデオおよびオーディオを提示するものである。ISO/IEC13818-1規格のAppendixDには"LIPSYNC"と称されるこうしたＡ／Ｖ同期の詳細が説明されている。こんにちのデコーダのＡ／Ｖ同期モジュールのチューニングプロシージャは、テストＭＰＥＧストリームから導出されたオーディオビデオパケットを復号化し、応答時間を即時であると見なして、これを再生装置、例えばＣＲＴＴＶで提示するものである。同様にＤＶＤプレーヤにおいても、Ａ／Ｖ同期はプレーヤそのものにおいて処理され、プレーヤ出力のオーディオストリームとビデオストリームとの同期が保証されている。
【０００３】
最近のスクリーン技術の進歩により、市販されている新たなスクリーンおよび多少とも複雑なオーディオビジュアル再生装置は次のようなものになっている。ａ）オーディオ信号が復号化形式（例えばＰＣＭフォーマット）または符号化形式（例えばドルビーディジタル）で供給されるオーディオビジュアル再生装置、例えば"ホームシネマ"装置。ｂ）幾つかの国々で主流となりつつある高解像度ＴＶ（以下ではＨＤＴＶと略す）。これは例えばコスト低減のためのＭＰＥＧ４技術とともに消費者市場に現れた。複数の高解像度フォーマット（以下ではＨＤフォーマットと略す）が標準解像度フォーマット（以下ではＳＤフォーマットと略す）と共存している。ＨＤフォーマットはスクリーンでのビデオ画像の表示前に膨大なビデオ処理を要求するので、遅延が発生する。ｃ）多数のスクリーン技術、例えばＬＣＤ，ＬＣＯＳ，ＤＬＰ，プラズマなどのスクリーンがＨＤフォーマットおよびＳＤフォーマットの双方に対して利用可能である。これらの種々のスクリーンは自身のビデオプロセッサに最適なレンダリングを要求するので、遅延が発生する。
【０００４】
これまでのオーディオビジュアルシステムについての研究から、人間はＡ／Ｖの位相ずれに敏感であることがわかっている。ベル研究所で１９４０年に行われた研究によれば、１００ｍｓより大きいオーディオ遅れまたは３５ｍｓより大きいオーディオ進みは視聴に困難を生ずることが判明した。実生活においても人間はふつうオーディオ進みに対するよりオーディオ遅れに対するほうが寛容である。なぜならスクリーンに表示されるものを見ないうちに音を聞くのは不自然だからである。したがって、ＩＴＵ規格では、オーディオビジュアルシステム全般にわたって許容可能なＡ／Ｖ同期エラーと許容不能なＡ／Ｖ同期エラーとが共通のルールとして定められている。１９９３年のＩＴＵ規格［DOC11/59］によれば、感知可能域は１００ｍｓより大きい遅れおよび２０ｍｓより大きい進みと定義された。また抵抗発生域は１６０ｍｓより大きい遅れおよび４０ｍｓより大きい進みと定義された。しかし１９９８年のＩＴＵ規格では、特別な理由もないのに、感知可能域の定義が１２５ｍｓより大きい遅れおよび４５ｍｓより大きい進みと緩められた。また抵抗発生域の定義は１８５ｍｓより大きい遅れおよび９０ｍｓより大きい進みとされた。これらの範囲はITU-R BT 1359-1規格に定義されている。
【０００５】
ディジタルＴＶ規格開発のための国際機関であるＡＴＳＣ（"Advanced Television System Committee"）は、変更された規格が不適切であり、ベル研究所での研究に沿っていないと指摘している。ここでは同期エラーは［−９０ｍｓ，＋３０ｍｓ］内にとどめ、しかもオーディオビジュアルシステムにおいて、取得側で［−４５ｍｓ，＋１５ｍｓ］、エンコーダ・デコーダ・ＴＶ側で［−４５ｍｓ，＋１５ｍｓ］となるように分散すべきであることが提案されている。
【０００６】
こんにち、ビデオ再生装置、例えばＬＣＤスクリーンでは、ビデオ処理装置で数１０ミリ秒、しばしば１００ミリ秒近くになる遅延が測定されている。発生する遅延は装置ごとに、画像フォーマットにしたがって、例えばインタレース画像（例えばＳＤで５７６ｉ２５，ＨＤで１０８０ｉ２５）であるかプログレッシブ画像（例えばＳＤで５７６ｐ２５，ＨＤで７２０ｐ５０）であるかによって、大きく変化する。特にスクリーンがデインタレース機能に対して適合化される場合にはそれが顕著である。当該の処理には画像メモリ、例えばＦＩＦＯ、ＳＤＲＡＭなどが要求されるが、これによりオーディオ信号の遅延に比べてビデオ信号の遅延が増大する。このことはオーディオ信号が対応するビデオ信号にしばしば先行するということを意味する。実用上、オーディオ再生装置は通常の使用状況では大きな遅延を発生しない。遅延が発生するのはサウンドエフェクトが加えられるときである。この場合の遅延はユーザに許容可能な範囲にとどまる。
【０００７】
ＣＲＴスクリーンとは異なり、現在用いられている新しいフラットパネルスクリーンでは応答は即時には行われない。種々のコンポーネントまたは種々のモジュールが遅延を発生するからである。図１には従来技術のオーディオビジュアル再生装置１、例えばフラットパネルＴＶが示されており、そこにはブロック１０，１１，１２として種々のモジュールが存在している。この再生装置はスクリーン１２としてのビデオ再生装置および外部スピーカまたはビルトインスピーカ１３としてのオーディオ再生装置を含んでいる。ビデオ再生装置の従来のモジュール、例えばチューナ、ＰＡＬデコーダ、Ａ／Ｄコンバータなどについては周知であるので詳細には説明しない。モジュール１０，１１，１２は固定またはフレームごとに可変のビデオ遅延を発生する。こうした遅延は処理の態様およびスクリーンタイプにしたがって変化する。これらの遅延が補償されないと、定義された許容可能域を超えるＡ／Ｖ同期エラーが発生し、ユーザに認知されてしまう。
【０００８】
最初のデインタレーサ／フォーマットコントローラ１０はインタレース画像をプログレッシブ画像へ変換し、入力信号の解像度をスクリーンの解像度へ、例えば１９２０×１０８０ｉから１２８０×７２０ｐへ適合させる。このブロックではフレームメモリＳＤＲＡＭまたはＤＤＲＡＭが用いられており、インタレース５０Ｈｚまたはプログレッシブ６０Ｈｚのビデオフォーマットにしたがって可変の遅延Ｄｄが生じる。
【０００９】
次のスクリーンコントローラ１１はプログレッシブ画像をスクリーンに対して互換性を有するフォーマットへ変換する。このコントローラはスクリーンをアドレシングし、画像品質の増大処理を行う。ここではスクリーンタイプに依存する遅延Ｄｅがしばしば発生する。つまり、ＬＣＤ（Liquid Crytal Display）‐ＬＣＯＳ（Liquid Crystal on Silicon）スクリーンでは、次のようなプロセスで遅延が発生すると考えられる。
・グレーレベルごとの切り換えが必要とされるとき液晶の応答時間を高めるためのオーバードライブ。この演算にはフレームメモリが使用され、固定の遅延Ｒｃ＿ｌｃｄ＿ｏｖｅｒｄｒｉｖｉｎｇが生じる。
・大面積のフリッカ効果を低減するために３バルブＬＣＯＳで常用されるフレームコピー。この演算にもフレームメモリが使用され、固定の遅延Ｒｃ＿ｌｃｏｓ＿ｄｏｕｂｌｅが生じる。
【００１０】
ＤＬＰＴＭ（Digital Light Processing）‐ＬＣＯＳでは、次のようなプロセスで遅延が発生すると考えられる。
・連続色への変換。この演算にはフレームメモリが使用され、固定の遅延Ｒｃ＿ｄｌｐ‐ｌｃｏｓ＿ｓｅｑｕｅｎｔｉａｌが生じる。
・連続ビット平面で行われるＤＬＰスクリーンアドレシング。この演算は固定の遅延ＲＣ＿ｄｌｐ＿ｂｉｔｐｌａｎｅを生じる。
【００１１】
プラズマスクリーンでは、次のようなプロセスで遅延が発生すると考えられる。
・連続サブスキャニング演算によるスクリーンアドレシング。これにより遅延Ｒｃ＿ｐｌａｓｍａ＿ｂｉｔｐｌａｎｅが生じる。
・偽輪郭効果およびぼやけ効果を低減するための動き補償。この演算にはフレームメモリが使用され、固定の遅延Ｒｃ＿ｐｌａｓｍａ＿ａｒｔｅｆａｃｔが生じる。
有機発光ダイオードＯＬＥＤのスクリーンでも同様の遅延が発生する。
【００１２】
さらにスクリーン１２そのものも遅延を有する。ＬＣＤ‐ＬＣＯＳスクリーンの発光は液晶に印加される電圧を変調することにより得られる。ＤＭＤＴＭ（Digital Micromirror Device）では、光はマイクロミラーのピボット制御によってバイナリ変調される。プラズマパネルでは、光はガス励起によってバイナリ変調される。したがって光は変調に対して遅延をともなって応答する。この遅延は主としてスクリーンのコンポーネントの物理特性、例えば液晶特性、ガス特性などに依存する。さらに、シーケンシャルメモリを備えたＤＬＰ‐ＬＣＯＳのように、付加的な遅延を誘発する内部メモリを組み込んだスクリーンも存在する。したがってスクリーンそのものもタイプに直接に関連した遅延Ｄｅを有することになる。
【００１３】
ＬＣＤ‐ＬＣＯＳスクリーンは特に次のような遅延を有する。
・スクリーンが行ごとにアドレシングされるので、最後の行は第１の行から１フレーム期間後にリフレッシュされることになる。このアドレシング演算は固定の遅延Ｒｅ＿ｌｃｄ＿ａｄｄｒｅｓｓｉｎｇを生じる。
・液晶は変調電圧を印加してからセットアップまでに所定の時間を要する。この必要時間は遅延とセットアップ時間とに区別される。この２つの時間は先行フレームと現在フレームとのあいだのグレーレベル遷移に依存する。この２つの時間は可変の遅延Ｒｅ＿ｌｃｄ＿ｌｉｑｕｉｄ−ｃｒｙｓｔａｌとなる。
【００１４】
他のタイプのスクリーン、例えばプラズマパネル，ＤＬＰ，ＯＬＥＤは他のタイプの遅延を有する。
【００１５】
プラズマパネルは特に次のような遅延を有する。
・パネル内に封入されているガスがビデオコンテンツに応じた応答時間を有するため、可変の遅延Ｒｅ＿ｐｌａｓｍａ＿ｇａｓが生じる。
【００１６】
ＤＬＰＴＭスクリーンは特に次のような遅延を有する。
・このディスプレイは内部メモリを含み、これに対してサブスキャニング形式でアドレシングする。これにより固定の遅延Ｒｅ＿ｄｌｐ＿ａｄｄｒｅｓｓｉｎｇが生じる。
【００１７】
ＤＭＤＴＭはきわめて迅速な応答時間を有する。このデバイスは特に遅延を有さない。
【００１８】
下に掲げた表には種々のタイプのスクリーンでの種々の遅延の例がまとめてある。表において、Ｔはフレーム期間（２０ｍｓ／５０Ｈｚ，１６．７ｍｓ／６０Ｈｚ）を表している。
【００１９】
【表１】
0005384006.tif 000002
【００２０】
スクリーンに使用されている技術に応じて、画像の遅延は、画像の重要性にかかわらずコンテンツ例えばグレーレベルにしたがって変化し、固定またはフレームごとに可変となる。こうした遅延はビデオフォーマットに依存しても変化する。ＴＶまたはＤＶＤでは、４つのフォーマット、すなわち、５０Ｈｚインタレース入力、５０Ｈｚプログレッシブ入力、６０Ｈｚインタレース入力、６０Ｈｚプログレッシブ入力が存在する。
【００２１】
オーディオストリームとビデオストリームとのあいだの遅延は使用されるオーディオフォーマット、例えばＭＰＥＧ１，ＭＰＥＧ２レイヤ１，ＭＰＥＧ２レイヤ２，ＤＯＬＢＹＡＣ−３に依存する。この遅延はユーザに大きな抵抗感を与えるトレランス外Ａ／Ｖ同期エラー、言い換えれば許容域を超えるＡ／Ｖ同期エラーを引き起こす。
【００２２】
上述した分析は、ユーザの認識の快適性を高め、ビデオストリームおよびオーディオストリームを再生する際の遅れまたは進みを定義された許容域内にとどめるために、オーディオストリームとビデオストリームとを同期させる必要があることを示している。より一般的に云えば、ユーザに抵抗感を与えないよう、遅れまたは進みの許容域を超えずにサービスの各パートを再生するには、ディジタルサービスの各パートを同期させなければならない。
【００２３】
３．発明の概要
本発明の課題は従来技術の欠点を克服することである。このために、本発明では、種々の処理および装置そのものによって引き起こされた遅延を考慮に入れ、これをディジタルサービスの少なくとも一部に適用してディジタルサービスの各パートを同期させる装置および方法を提供する。そのねらいは、ユーザに抵抗感を与える許容域からの逸脱を回避することにある。
【００２４】
本発明は第１に、ディジタルサービスソース装置から到来したディジタルサービスの少なくとも一部を形成するデータを受信する受信手段と、受信データの少なくとも一部を処理する処理手段と、ディジタルサービスの少なくとも一部の出力を再生する再生手段とを有しており、ここで、データの処理および再生にかかる時間が再生データの出力に遅延を発生する、データ再生装置に関する。本発明によれば、データ再生装置はさらに、発生した遅延量をディジタルサービスソース装置に知らせる通信手段を有する。
【００２５】
本発明の有利な実施形態によれば、再生装置はＴＶであり、ディジタルサービスはオーディオビジュアルサービスであり、処理データは複数のフレームとして編成されたビデオデータである。さらに、ディジタルサービスの少なくとも一部を出力する再生手段の１つはスクリーンであり、有利にはＬＣＤスクリーン、ＯＬＥＤスクリーンまたはＤＬＰスクリーンなどのフラットパネルスクリーンである。
【００２６】
本発明の有利な別の実施形態によれば、受信データの少なくとも一部を処理する処理手段の１つはデインタレーサである。
【００２７】
有利には、再生装置は遅延の値を記憶する不揮発性メモリを含む。特に有利には、不揮発性メモリはＥＰＲＯＭである。
【００２８】
本発明の別の有利な実施形態によれば、遅延の値はＥＤＩＤデスクリプタの形式で提示される。
【００２９】
有利には、発生した遅延量をディジタルサービスソース装置へ知らせる通信手段はＤＤＣプロトコルまたはＣＥＣプロトコルを用いたリンクを含む。デコーダはＤＤＣリンクを介してＥＤＩＤデスクリプタの形式で記憶された遅延の値を取得する。
【００３０】
本発明は、第２に、ディジタルサービスの第１パートを形成するデータを出力する第１の出力手段と、ディジタルサービスの第２パートを形成するデータを出力する第２の出力手段と、ディジタルサービスの第１パートを形成するデータを再生するデータ再生装置と通信する通信手段とを有する、ディジタルサービスソース装置に関する。本発明によれば、ディジタルサービスソース装置にはさらに、ディジタルサービスの第２パートを形成する出力データにプログラマブル遅延量を加える印加手段と、ディジタルサービスの第１パートを形成するデータを再生するデータ再生装置から遅延量インジケータを受信する受信手段と、受信された遅延量インジケータにしたがってプログラマブル遅延量を加えるプログラミング手段とが設けられている。
【００３１】
本発明の有利な実施形態によれば、ディジタルサービスソース装置はディジタルデコーダである。本発明の別の有利な実施形態によれば、ディジタルサービスソース装置はＤＶＤプレーヤである。
【００３２】
本発明の１つの実施形態によれば、ディジタルサービスの第１パートを形成するデータはビデオデータであり、ディジタルサービスの第２パートを形成するデータはオーディオデータである。
【００３３】
本発明の別の実施形態によれば、ディジタルサービスの第１パートを形成するデータもディジタルサービスの第２パートを形成するデータもビデオデータである。
【００３４】
有利には、プログラマブル遅延量の印加手段により、再生手段の要素、すなわちビデオデータのデインタレーサ、フォーマットコントローラ、スクリーンコントローラおよびスクリーンのうち１つまたは複数のものに起因する遅延量が補償される。
【００３５】
本発明の有利な別の実施形態によれば、プログラマブル遅延量の印加手段は、ディジタルサービスの第２パートを形成するデータを受信された遅延量インジケータにしたがって再記憶するまで一時記憶するメモリを含む。
【００３６】
本発明は第３に、ディジタルサービスの第１パートを形成するデータを出力する第１の出力手段、ディジタルサービスの第２パートを形成するデータを出力する第２の出力手段、ディジタルサービスの第１パートを形成するデータを再生するデータ再生装置と通信する通信手段、および、ディジタルサービスの第２パートを形成する出力データにプログラマブル遅延量を加える印加手段を有するディジタルサービスソース装置と、ディジタルサービスソース装置から到来したディジタルサービスの少なくとも一部を形成するデータを受信する受信手段、および、ディジタルサービスの少なくとも一部を再生するために受信データの少なくとも一部を処理する処理手段を有する少なくとも１つのデータ再生装置とを含むシステムでディジタルサービスの２つのパートを同期させる方法に関する。本発明の方法は、データ再生装置からディジタルサービスの少なくとも第１パートを形成する受信データを処理および再生する際に発生した合計遅延量をソース装置へ送信するステップと、および、受信された遅延量インジケータを用いてディジタルサービスの第２パートを形成するデータの出力を遅延させるためにソース装置側でプログラマブル遅延量をプログラミングするステップとを有する。
【００３７】
本発明の有利な実施形態によれば、遅延の一部はスクリーン特性に起因しており、液晶スクリーンの場合、連続する２つのフレーム間のピクセルごとのグレーレベル差を計算するステップ、ピクセルごとに計算されたグレーレベル差から連続する２つのフレーム間のピクセルごとの応答時間を予測するステップ、全ピクセルについての遅延のヒストグラムを形成するステップ、および、このヒストグラムから平均遅延を計算するステップにしたがって、スクリーン特性に起因する遅延量がフレームごとに予測される。
【００３８】
本発明の実施形態によれば、ディジタルサービスの第１パートを形成するデータはビデオデータであり、ディジタルサービスの第２パートを形成するデータはオーディオデータである。
【００３９】
本発明の別の実施形態によれば、ディジタルサービスの第１パートを形成するデータもディジタルサービスの第２パートを形成するデータもビデオデータである。
【００４０】
４．図面の簡単な説明
以下に本発明を図示の有利な実施例に則して詳細に説明する。ただし本発明はこれらの実施例に限定されるものではない。図１には従来技術によるフラットパネルＴＶの概略図が示されており、これについては既に説明した。図２には内部オーディオ再生装置を用いた本発明のオーディオビジュアルサービスの受信再生装置が示されている。図３には外部オーディオ再生装置を用いた本発明のオーディオビジュアルサービスの受信再生装置が示されている。図４にはソース側で補償された遅延を予測する本発明のオーディオビジュアルサービスの受信再生装置が示されている。図５には遅延を予測および補償する受信装置を備えた本発明のオーディオビジュアルサービスの受信再生装置が示されている。図６には遅延を予測および補償する再生装置を備えた本発明のオーディオビジュアルサービスの受信再生装置が示されている。図７には本発明により液晶スクリーンの遅延を予測する方法が示されている。図８には種々のグレーレベル遷移に対する液晶の応答時間を表すチャートが示されている。図９には本発明によるマニュアル式遅延量選択方法が示されている。図１０には種々のビデオフォーマットに対する遅延量の選択方法が示されている。図１１には本発明によるマニュアル式遅延量予測装置が示されている。図１２には本発明によるセミオートマティック式遅延量予測装置が示されている。図１３には本発明によるセミオートマティック式遅延量予測方法が示されている。図１４には外部オーディオ再生装置および２つの遅延モジュールを含む受信装置を用いた本発明のオーディオビジュアルサービスの受信再生装置が示されている。図１５には２つのビデオ再生装置に接続された受信装置を用いた本発明のオーディオビジュアルサービスの受信再生装置が示されている。
【００４１】
５．実施例の詳細な説明
本発明の実施例をオーディオビジュアルディジタルサービスに則して説明する。Ａ／Ｖソースはここではデコーダとするが、他のタイプのＡ／Ｖソース、例えばＤＶＤプレーヤであってもよい。オーディオビジュアル再生装置はここではスクリーンおよび音声出力部すなわちビルトインスピーカを備えたＴＶとするが、これも他のタイプのオーディオビジュアル再生装置、例えばコンピュータであってよい。オーディオ再生装置はここでは１つまたは複数のスピーカに接続されたアンプ、例えばホームシネマ装置のオーディオアンプを含み、ＴＶに外付け可能な装置とするが、これも他のタイプのオーディオ再生装置であってよい。
【００４２】
デインタレーサ回路は同相を保つためにビデオ入力と同じ遅延を加えられた補償用オーディオ入力を有する。しかしユーザが外部のオーディオ再生装置、例えばホームシネマ装置からの音声の利用を選択した場合、遅延補償は行われない。したがってＡ／Ｖ信号のソースであるディジタルデコーダにＡ／Ｖ同期モジュールを配置するのが自然であると思われるが、そのためには市販されているＡ／Ｖ機器と互換性を有するようにしなければならない。本発明の基本方式の１つとして、ＴＶの入力側のビデオ信号とスクリーンで表示されるビデオ信号とのあいだの遅延の値をデコーダへ知らせる自動手段がＴＶに設けられる。
【００４３】
図２，図３にはオーディオビジュアルディジタルサービスを受信して表示する装置の２つの実施例が示されている。装置の主要要素だけを図示してある。図２にはディジタルデコーダ２０を含んだオーディオビジュアルサービス装置が示されており、このディジタルデコーダはリンク２２０，２２１，２２２を介してＴＶ２１に接続されている。デコーダ２０は入力側で符号化オーディオビジュアルストリーム２２、例えばＭＰＥＧ符号化ストリームを受信する。このＡ／Ｖストリーム２２はデマルチプレクサ２０４によりデマルチプレクスされ、少なくとも１つのオーディオ信号および少なくとも１つのビデオ信号となる。ビデオ信号はビデオデコーダ２００によって復号化される。オーディオ信号はオーディオデコーダ２０１によって復号化される。２つのストリームは２つのデコーダ２００，２０１と通信するＡ／Ｖ同期モジュール２０２により同期される。Ａ／Ｖ同期モジュール２０２はさらに処理ユニット２０３に接続されている。ビデオデコーダ２００はＤＶＩ／ＨＤＭＩリンク（Digital Video Interface/High Definition Multimedia Interface link）２２０を介してＴＶ２１へリンクされている。より詳細に云えば、ビデオデコーダ２００はＴＶ２１のスクリーン処理モジュール２１０にリンクされている。このスクリーン処理モジュール２１０はスクリーン２１１に接続されている。またオーディオデコーダはリンク２２２を介してＴＶ２１のオーディオ再生装置２１２へリンクされている。Ａ／Ｖ同期モジュール２０２は処理ユニット２０３に接続されており、この処理ユニットは例えばスクリーン関連データを取得するためのＤＤＣ（Display Data Channel）通信プロトコルを用いたＩ２Ｃバス２２１を介して不揮発性メモリ、例えばＴＶ２１のＥＰＲＯＭであるＥＤＩＤ（Extended Display Identification Data）メモリ２１３にリンクされている。
【００４４】
図３には、外部のオーディオ再生装置３１（例えばホームシネマ装置のアンプ）によってオーディオストリームを再生する同様の装置が示されている。このオーディオ再生装置３１はスピーカ３３にリンクされたオーディオアンプ３１０を含む。デコーダ３０は図２のデコーダ２０と同様の要素、例えばオーディオデコーダ、ビデオデコーダ、デマルチプレクサ、Ａ／Ｖ同期モジュールなどを有し、これらには図２と同様の参照番号を付してある。デコーダ３０はプログラマブルオーディオ遅延モジュール３００，ビデオフォーマットマネージャ３０１およびＨＤＭＩインタフェース３０２を含む。このデコーダはＴＶ３２にリンクされている。ＴＶはビデオ処理モジュール３２０およびこれに接続されたスクリーン３２１を有する。デコーダはリンク３４０、例えばＳＰＤＩＦインタフェース（Sony/Philips Digital Interface）を介して外部のオーディオ再生装置３１にリンクされており、ＤＶＩ／ＨＤＭＩリンク３４１を介してＴＶ３２にリンクされている。図２，図３の２つの手段の目的は、モジュール２１０，３２０でのビデオ処理、例えばデインタレーシング、フォーマット変換、画像品質増大などに起因する遅延Ｄｄｃ（ここでＤｄｃ＝Ｄｄ＋Ｄｃ）、および／または、スクリーン２１１，３２１、例えば液晶の応答時間に起因する遅延Ｄｅを補償することである。遅延Ｄｅはそれ自体が上掲の表に定義された複数の遅延の和である。以下の説明では、合計遅延をＤ、つまりＤ＝Ｄｄｃ＋Ｄｅとする。ＤｄｃおよびＤｅは時間的に固定または可変である。例えば液晶スクリーンでは遅延Ｄｅが応答時間に応じてフレームごとに変化する。スクリーンが遅延を発生しない場合、Ｄ＝Ｄｄｃである。同様にＤｄｃもゼロとなりうる。
【００４５】
本発明によれば、少なくとも１つのプログラマブル遅延量Ｄがオーディオ信号に印加される。これは圧縮形式で記憶されても復号化形式で記憶されてもよい。遅延量Ｄはプログラマブルオーディオ遅延モジュール３００においてオーディオ信号に印加される。本発明の変形例によれば、遅延量は直接にデコーダ内のＡ／Ｖ同期モジュール２０２においてオーディオ信号に印加される。デコーダはプログラマブルオーディオ遅延モジュール３００またはＡ／Ｖ同期モジュール２０２において適切な遅延量Ｄを用いて、ビデオ処理および／またはスクリーン２１０，３２０で生じた遅延を補償する。
【００４６】
本発明によれば、ＴＶ２１，３２で生じる遅延Ｄは、ビデオフォーマットマネージャ３０１によって管理されているビデオ入力のフォーマットに依存して変化しうる。したがって、遅延がビデオフォーマットに依存する場合、プログラマブルオーディオ遅延モジュール３００またはＡ／Ｖ同期モジュール２０２において、ビデオフォーマットが変化するたびに新たな遅延量Ｄがプログラミングされる。この遅延はビデオフォーマットＸに関連するので、遅延ＤＸとする。プログラマブル遅延量は入力ビデオフォーマットから独立に演算された合計値Ｄであってもよい。
【００４７】
本発明の手段の特徴は、例えば種々のビデオフォーマットに起因する遅延ＤＸを表すパラメータ、または入力ビデオフォーマットから独立した合計遅延Ｄによって、ＤＶＩ／ＨＤＭＩ制御プロトコルを高めることにある。こうしたＤＶＩ／ＨＤＭＩ制御プロトコルにより、デコーダの特性および機能に関する情報をスクリーンで共有することができる。このプロトコルにしたがって、ビデオソースはＤＤＣチャネル２２１を用いてＴＶ２１，３２内の不揮発性メモリ２１３から、例えば同期信号の解像度、極性、比色分析データなどを読み出す。これらのデータはEIA/CEA-861Bに定義されたＥＤＩＤデスクリプタを用いて表される。ＥＤＩＤデスクリプタとしてスクリーンメーカがＥＰＲＯＭであるＥＤＩＤメモリ２１３内にプログラミングしたものを取得して利用してもよい。
【００４８】
本発明では、ＴＶ情報の遅延特性、すなわちＴＶのディジタルビデオ処理による遅延Ｄｄｃ，スクリーンの応答時間による遅延Ｄｅ，またはその双方による遅延ＤまたはＤＸを記憶するために、既に標準化された情報のほか、ＥＤＩＤデスクリプタを用いる。本発明によって得られる各ＴＶ２１，３２の遅延情報はＴＶの不揮発性メモリ２１３に記憶される。この情報は前述した４つのビデオフォーマット、すなわち５０Ｈｚインタレース入力、５０Ｈｚプログレッシブ入力、６０Ｈｚインタレース入力および６０Ｈｚプログレッシブ入力に相応する４つの遅延ＤＸを含む。また他のビデオフォーマットに関する遅延を記憶することもできる。
【００４９】
本発明によれば、デコーダはＡ／Ｖ同期モジュール２０２またはプログラマブルオーディオ遅延モジュール３００でオーディオストリームとビデオストリームとを同期するためにこれらの値を取得する。遅延Ｄｄｃおよび遅延Ｄｅに関する情報はＴＶ２１，３２のメーカから供給され、電子情報としてＴＶ２１，３２からデコーダ２０へ送信されてもよい。合計遅延情報ＤまたはＤＸはデコーダのスイッチオン時に移し替えられなければならない。この情報の移し替えは、付加的に、必要に応じてまたはデコーダへの要求に応じてチャネル変更の際に行うこともできる。
【００５０】
ＤＤＣチャネルを利用する手段に代えて、ＨＤＭＩのＣＥＣ（Consumer Electronics Control）インタラクティブインターチェンジプロトコルを利用してもよい。
【００５１】
図４には本発明の１つの実施例が示されている。デコーダ２０は図２に則して説明したものと同じであるから、ここで再度の説明はしない。ＴＶ４１でも図２のＴＶ２１と同様の要素には相応の参照番号を付してあるので、これらについても詳細には説明しない。ＴＶ４１は遅延Ｄｅを予測する遅延予測モジュール４１０を含む。実際に、スクリーンのタイプに応じて時間的に可変の遅延を発生するＴＶに対して、当該の遅延を予測しなければならない。予測される遅延Ｄｅは種々のビデオ処理、例えばデインタレーシングに起因する遅延Ｄｄｃに加算される。合計遅延Ｄの値はＥＰＲＯＭであるＥＤＩＤメモリ４１１に記憶され、デコーダ２０内のＡ／Ｖ同期モジュール２０２またはプログラマブルオーディオ遅延モジュール３００によって使用される。したがってデコーダはＤＤＣリンク２２１を介してこの遅延の値を取得し、これを用いてオーディオストリームとビデオストリームとを同期する。種々の遅延Ｄｄｃ，Ｄｅを個別にＥＤＩＤメモリに記憶すれば、デコーダはＤＤＣリンク２２１を介してこれらの遅延を取得することができる。スクリーンタイプに起因する可変の遅延Ｄｅを予測するための遅延予測方法については後に液晶スクリーンに則して説明する。
【００５２】
図５に示されている別の実施例では、スクリーンに起因する遅延Ｄｅがデコーダ５０の処理ユニット内に配置された遅延予測モジュール５００において予測される。相応の参照番号の付された要素は前出の要素と同様であるので、詳細には説明しない。本発明によれば、スクリーンのＥＰＲＯＭであるＥＤＩＤメモリに記憶すべきデスクリプタが定義される。このデータは遅延予測に必要なものであり、例えば液晶スクリーンのメーカから提供された図８のようなチャートである。デコーダはＤＤＣリンク２２１を介して当該のデータを取得し、遅延予測モジュール５００において平均遅延を予測する。この予測方法については後述する。
【００５３】
前述した手段の利点は、ＴＶと外部のオーディオ再生装置３１（例えばＨｉＦｉシステム、ホームシネマ装置など）とが利用される場合に、オーディオストリームおよびビデオストリームが同期されるということである。
【００５４】
図６に示されている別の実施例では、スクリーンに起因する遅延Ｄｅが前述の場合と同様にＴＶ６１の遅延予測モジュール４１０において予測される。ただし同期は直接にＴＶにおいて実行される。このとき、ＴＶ内のメモリ６１０はオーディオデータのバッファリングに用いられ、平均遅延にしたがってユーザに対してオーディオデータを再生する。平均遅延の予測方法については後述する。
【００５５】
図７には、液晶スクリーンに起因する遅延Ｄｅの予測装置７が示されている。この予測装置はフレームメモリ７１および遅延計算モジュール７０を含む。フレームメモリ７１は入力画像ｖｉｄｅｏｔＮを１フレームｖｉｄｅｏｔＮ−１ずつ遅延させるために用いられる。予測装置７はエンハンスメント回路のフレームメモリ７１を使用することができる。遅延計算モジュール７０は、ピクセルごとに、連続する２つのフレーム間のグレーレベル差を計算する。計算の際に、このモジュールは、液晶スクリーンのメーカから提供された図８のようなチャートを用いる。このチャートは種々のグレーレベル遷移に対する応答時間を表している。これによりピクセルごとに２つのフレーム間の応答時間が予測される。全ピクセルについてヒストグラムが形成され、例えば所定の応答時間を有するピクセルの数を考慮して加重平均を計算することにより平均遅延Ｄｅが予測され、この値がＡ／Ｖ同期モジュールによって用いられる。遅延Ｄｅの予測が図５のようにデコーダ内で行われる場合、前述したチャートはＥＰＲＯＭであるＥＤＩＤメモリに記憶され、ＤＤＣリンク２２１を介してデコーダに受け取られる。このとき、遅延予測装置７はリンク７２を介してＥＤＩＤデータを取得する。
【００５６】
以下に示す手段は、ビデオ処理およびスクリーンによって生じる遅延パラメータＤをビデオソースへ知らせるマニュアル式またはセミオートマティック式手段の実施例である。これらの手段は特にＡ／Ｖソースとビデオ再生装置とのあいだにＨＤＭＩリンクが存在しない場合に利用される。
【００５７】
図９にはユーザがメニューを用いて遅延パラメータを選択できるようにしたマニュアル式チューニング方法が示されている。相応の選択装置は図１１に示されている。当該の選択方法はメーカから遅延情報が得られない場合に有効である。この場合、デコーダ１１０はユーザが手動で精細に遅延を同期できるＡ／Ｖシーケンスを形成する。本発明によれば、ステップ９１で、デコーダ１１０は適切なビデオフォーマットＸ、例えば５０Ｈｚインタレースビデオフォーマットへの切り換えを行う。ステップ９２で、ユーザ１１５は当該のフォーマットに対する遅延量ＤＸの値をメニューから選択する。この値はデコーダ内のプログラマブルオーディオ遅延モジュール３００またはＡ／Ｖ同期モジュール２０２にプログラミングされている。ステップ９３で、デコーダは選択された遅延の値を用いて同期されたＡ／Ｖシーケンス１１１を送信する。こうしてビデオ画像がスクリーン１１２に表示される。同期されたオーディオ信号はオーディオアンプ１１３によって増幅され、スピーカ１１４を介して音声が再生される。ユーザはスクリーン１１２での画像再生およびスピーカ１１４での音声再生を視聴して同期の品質を判断することができる。ステップ９４でユーザはメニューを用いて行われた同期が充分であるか否かをデコーダに伝える。充分でない場合には、新たな遅延の値ＤＸが得られるまで上述のステップが反復される。同期が充分であった場合には、選択は終了され、この遅延の値ＤＸがデコーダ内のプログラマブルオーディオ遅延モジュール３００またはＡ／Ｖ同期モジュール２０２に記憶される。
【００５８】
この演算は全てのビデオフォーマットに対して反復され、オーディオストリームに印加すべきそれぞれの遅延量が求められる。そのための方法が図１０に示されている。５０Ｈｚインタレースビデオフォーマットに関する遅延Ｄ２５ｉ，５０Ｈｚプログレッシブビデオフォーマットに関する遅延Ｄ５０ｐ，６０Ｈｚインタレースビデオフォーマットに関する遅延Ｄ３０ｉ，６０Ｈｚプログレッシブビデオフォーマットに関する遅延Ｄ６０ｐがぞれぞれステップ１０１，１０２，１０３，１０４で求められ、図９の方法にしたがって選択される。
【００５９】
別の実施例として、例えばメーカから遅延データが供給されていて既知となっている場合、ユーザはメニューを用い、デコーダのプログラマブルオーディオ遅延モジュール３００またはＡ／Ｖ同期モジュール２０２において種々のビデオフォーマットに対する遅延ＤＸの値を手動で印加することができる。例えば種々の値をディジタルサービスソース装置のインストールの際に入力してもよい。
【００６０】
図１２に示されている装置によれば、スクリーンに固定されたプローブ１２２が用いられ、スクリーンに表示されている画像の特性が検出され、その情報がデコーダへ返送される。このような遅延Ｄのセミオートマティック式予測方法が図１３に示されている。
【００６１】
図１３の方法によれば、デコーダ１２０がまず一連のブラック画像（グレーレベルの低い画像）１３０を形成し、次に１つのホワイト画像（グレーレベルの高い画像）１３１を形成し、さらに再び一連のブラック画像１３２を形成して、これらをＴＶ１２１へ送信する。このとき、フェーズ１３３で第１のブラック画像のシリーズがスクリーンに表示され、次いでフェーズ１３４でホワイト画像１３４が表示され、さらにフェーズ１３５で第２のブラック画像のシリーズが表示される。プローブ１２２はスクリーン上のホワイト画像を検出し、デコーダ１２０へ瞬時メッセージを送信して、フェーズ１３４でホワイト画像が表示されていることを知らせる。デコーダ１２０はホワイト画像がデコーダから送信された時点１３８からホワイト画像がＴＶ１２１のスクリーンに表示された時点１３９までの時間を計算する。プローブ１２２は典型的には光強度に感応するデバイスであり、例えばスクリーンの左上角またはスクリーンの中央に配置される。このデバイスはさらにスクリーンの限定された領域の光強度を瞬時に評価することもできる。プローブ１２２は２つの論理ステータスを有する。第１のステータス１３６は光強度のレベルが所定の閾値よりも低い状態、すなわち、ブラック画像のシリーズが表示されている状態である。第２のステータス１３７は光強度のレベルが所定の閾値よりも高い状態、すなわち、ホワイト画像のシリーズが表示されている状態である。当該の閾値は、ブラック画像が表示されたときにプローブが第１のステータスを検出し、ホワイト画像が表示されたときにプローブが第２のステータスを検出するように定められている。ブラック画像は低い光強度の画像によって置換することができ、ホワイト画像は高い光強度の画像によって置換することができる。プローブに必要とされるのは一方から他方への遷移を検出する能力のみである。論理ステータスは２値の電気信号へ翻訳される。この電気信号はデコーダによって取得される。デコーダはホワイト画像のスクリーンへの送信が開始された時点１３８およびプローブが第１のステータスから第２のステータスへの遷移を検出した時点１３９を記憶する。２つのタイムマーカのあいだの時間Ｄ１４０がビデオ処理およびスクリーンによって生じた遅延を表している。この演算は全ビデオフォーマットに対する遅延量ＤＸのセットが得られるようにビデオフォーマットごとに反復される。この方法は、メニューが使用されず、ユーザはプローブをデコーダに接続してスクリーンに適用し、プロセスを手動で開始するのみであるので、セミオートマティック式と云える。
【００６２】
またスクリーンのいずれかの位置に黒四角領域を有するブルースクリーンを用いることもできる。プローブ１２２はこの黒四角領域の上に配置され、光強度の変化を検出するためにホワイト画像が当該の黒四角領域へ送信される。この場合、スクリーン上のプローブの位置が既知であるので、全ピクセルを同時に再生しないスクリーンの遅延、例えばスクリーンのスキャニング時の遅延がいっそう正確に測定される。
【００６３】
本発明の別の実施例が図１４に示されている。図２，図３と共通する要素には相応の参照番号を付してあるので、詳細には説明しない。デコーダ１４０は付加的なプログラマブルオーディオ遅延モジュール１４１を含む。この第２のプログラマブルオーディオ遅延モジュール１４１は同じ再生装置１４２、例えばＴＶで再生されるオーディオストリームとビデオストリームとを同期させるために用いられる。ＴＶ１４２はビデオ遅延Ｄｄｃを発生するビデオ処理モジュール３２０を含む。またＴＶ１４２はオーディオストリームにオーディオ遅延Ｄｔａを発生するオーディオ処理モジュール１４４を含む。このオーディオ処理モジュール１４４はＴＶのビルトインスピーカ１５１に接続されている。ビルトインスピーカ１５１で再生されるオーディオストリームとスクリーン３２１で再生されるビデオストリームとを同期させるために、第２のプログラマブルオーディオ遅延モジュール１４１はデコーダのオーディオストリーム出力に遅延量Ｄｄｃ‐Ｄｔａを加える。この実施例では、ＥＤＩＤテーブルに、再生装置でビデオフォーマットすなわち５０Ｈｚインタレース入力、５０Ｈｚプログレッシブ入力、６０Ｈｚインタレース入力および６０Ｈｚプログレッシブ入力に依存して生じたビデオ遅延Ｄｄｃに関連する４つのパラメータと、４つのビデオフォーマットに対するオーディオ処理で生じたオーディオ遅延Ｄｔａに関連する４つのパラメータとが加算される。遅延の値は０ｍｓ〜２５５ｍｓで変化する値を表すために１ｂｙｔｅで符号化される。したがって、オーディオストリームが外部装置３１、例えばＳＰＤＩＦで再生される場合、ソース側ではプログラマブルオーディオ遅延モジュール３００で遅延量Ｄｄｃがデコーダ２０１の出力に加えられる。オーディオストリームがＨＤＭＩ再生装置、例えばＴＶ１４２で再生される場合、ソース側でプログラマブルオーディオ遅延モジュール１４１を介して遅延量Ｄｄｃ‐Ｄｔａをオーディオストリームに加える。この遅延量はＨＤＭＩ装置１４２の種々の処理によって生じるビデオ遅延およびオーディオ遅延を考慮している。
【００６４】
別の実施例が図１５に示されている。図２，図３と共通する要素には相応の参照番号を付してあるので、詳細には説明しない。デコーダ１５０は２つの異なる部屋に置かれた２つのＴＶ１５２，１５５に接続されている。ＴＶ１５２はオーディオ出力に対し、例えばＳＰＤＩＦインタフェースを介して、ホームシネマ装置３１にリンクされている。別の部屋に置かれたＴＶ１５５は主としてスクリーン１５７を有し、例えばスカートまたはアナログＲＦのリンク１６２を介して、オーディオストリームおよびビデオストリームを受信する。ＴＶ１５２はビデオ遅延Ｄｄｃを発生するビデオ処理モジュール１５３とスクリーン１５４とを含む。ＴＶ１５５は一緒に送信されてくるオーディオストリームおよびビデオストリームの同期を保持する。本発明によれば、ビデオ出力に同期された単独のオーディオ出力を有する装置が提案される。本発明のこの手段では、デコーダ内で、図３に則して説明したように、補償のための遅延量をオーディオストリームに加えることにより、オーディオストリームと第１のビデオ出力１５８とが同期される。ここでは、オーディオ出力に加えられるのと同じ遅延量Ｄ＝Ｄｄｃを第２のビデオ出力１５９に加える第２のプログラマブルビデオ遅延モジュール１６１が設けられている。これにより第２のビデオ出力１５９とオーディオ出力１６０とが同期される。この手段により、特に、第２のＴＶ１５５が別の部屋に置かれていても、２つのビデオ出力１５８，１５９に対して同一のオーディオ出力１６０を用いることができる。
【００６５】
本発明をＤＶＩおよびＨＤＭＩの通信プロトコルに利用する例を説明したが、デコーダ内の遅延データまたは遅延を計算するためのデータ（例えば遅延チャート）をやり取りするものであれば、将来開発される制御プロトコルにおいても利用可能である。
【００６６】
スクリーンで遅延が生じており、一方オーディオパートは瞬時処理に関連しているディジタルサービスのケースにおいて、本発明をオーディオストリームおよびビデオストリームの同期の実施例に則して説明した。本発明は一般に、サービスの各パートが種々の再生装置によって個別に処理され、それぞれ固有の遅延を発生するディジタルサービス再生装置であれば、いずれのタイプのものにも適用可能である。ここで、再生装置の固有の遅延をソース装置へ送信する機能により、サービス全体の良好な再生のために、ディジタルサービスの全てのパートを同期させることができる。
【図面の簡単な説明】
【００６７】
【図１】従来技術によるフラットパネルＴＶの概略図である。
【図２】内部オーディオ再生装置を用いた本発明のオーディオビジュアルサービスの受信再生装置を示す図である。
【図３】外部オーディオ再生装置を用いた本発明のオーディオビジュアルサービスの受信再生装置を示す図である。
【図４】ソース側で補償された遅延を予測する本発明のオーディオビジュアルサービスの受信再生装置を示す図である。
【図５】遅延を予測および補償する受信装置を備えた本発明のオーディオビジュアルサービスの受信再生装置を示す図である。
【図６】遅延を予測および補償する再生装置を備えた本発明のオーディオビジュアルサービスの受信再生装置を示す図である。
【図７】本発明により液晶スクリーンの遅延を予測する方法を示す図である。
【図８】種々のグレーレベル遷移に対する液晶の応答時間を表すチャートを示す図である。
【図９】本発明によるマニュアル式遅延量選択方法を示す図である。
【図１０】種々のビデオフォーマットに対する遅延量の選択方法を示す図である。
【図１１】本発明によるマニュアル式遅延量予測装置を示す図である。
【図１２】本発明によるセミオートマティック式遅延量予測装置を示す図である。
【図１３】本発明によるセミオートマティック式遅延量予測方法を示す図である。
【図１４】外部オーディオ再生装置および２つの遅延モジュールを含む受信装置を用いた本発明のオーディオビジュアルサービスの受信再生装置を示す図である。
【図１５】２つのビデオ再生装置に接続された受信装置を用いた本発明のオーディオビジュアルサービスの受信再生装置を示す図である。
【図１】
0005384006.tif 000003
【図２】
0005384006.tif 000004
【図３】
0005384006.tif 000005
【図４】
0005384006.tif 000006
【図５】
0005384006.tif 000007
【図６】
0005384006.tif 000008
【図７】
0005384006.tif 000009
【図８】
0005384006.tif 000010
【図９】
0005384006.tif 000011
【図１０】
0005384006.tif 000012
【図１１】
0005384006.tif 000013
【図１２】
0005384006.tif 000014
【図１３】
0005384006.tif 000015
【図１４】
0005384006.tif 000016
【図１５】
0005384006.tif 000017